(57)【特許請求の範囲】
【請求項１】
照明システムでの使用のためのゲートモジュールであって、前記照明システムが、少なくとも１つのセンサを含む少なくとも１つのセンサモジュールと、少なくとも１つの照明器具を含む照明ネットワークとを有し、前記ゲートモジュールが、
前記少なくとも１つのセンサモジュールによって取得されるセンサデータを受信し、
入力信号を受信し、
前記入力信号及びメモリに記憶される所定のルールに基づいて、前記センサデータのうちのどの一部が前記少なくとも１つの照明器具の制御用の少なくとも１つの照明器具コントローラに供給されるべきであるかを決定し、
前記センサデータのうちの決定された前記一部だけを前記少なくとも１つの照明器具コントローラに供給するよう構成され、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示するゲートモジュール。
【請求項２】
前記入力信号が、前記少なくとも１つのセンサモジュールのセンサによって検出される少なくとも１つの光特性を含み、前記所定のルールが、前記少なくとも１つのセンサモジュールによって所定の光特性が検出されるときに、前記センサデータのうちのどの一部だけが前記照明器具コントローラに送信されるべきであるかを規定する請求項１に記載のゲートモジュール。
【請求項３】
前記少なくとも１つの光特性が、
前記センサによって検出される光の強度であって、前記所定のルールが、センサデータは、検出される前記強度が所定のしきい値強度範囲内にあるときにだけ、前記照明器具コントローラに送信されるべきであることを規定する光の強度、及び
前記センサによって受け取られる光から前記センサによって復号される識別子であって、前記所定のルールが、センサデータは、前記センサが、光であって、前記光に埋め込まれた所定の識別子を有する光を検出するときにだけ、前記照明器具コントローラに送信されるべきであることを規定する識別子のうちの１つ以上を有する請求項２に記載のゲートモジュール。
【請求項４】
前記入力信号が、前記少なくとも１つのセンサモジュールのうちのセンサモジュールが実装されるデバイスの環境の環境状態を示し、前記所定のルールが、前記センサモジュールから受信されるセンサデータは、前記環境状態の検出値が所定のしきい値範囲内にあるときにだけ、前記照明器具コントローラに送信されるべきであることを規定する請求項１乃至３のいずれか一項に記載のゲートモジュール。
【請求項５】
前記入力信号が、前記少なくとも１つのセンサモジュールのうちのセンサモジュールが実装されるデバイスの電源が充電状態にあるかどうかに関する表示を含み、前記所定のルールが、前記センサモジュールから受信されるセンサデータは、前記デバイスの前記電源が充電状態にあるときにだけ、前記照明器具コントローラに送信されるべきであることを規定する請求項１乃至４のいずれか一項に記載のゲートモジュール。
【請求項６】
前記入力信号が、前記少なくとも１つのセンサモジュールのうちのセンサモジュールが実装されるデバイスの位置の表示を含み、前記所定のルールが、前記センサモジュールから受信されるセンサデータは、前記デバイスが前記少なくとも１つの照明器具から所定の距離内にあるときにだけ、前記照明器具コントローラに送信されるべきであることを規定し、前記ゲートモジュールが、前記少なくとも１つの光源の既知の位置情報を用いて前記決定を実施するよう構成される請求項１乃至５のいずれか一項に記載のゲートモジュール。
【請求項７】
前記ゲートモジュールが、前記少なくとも１つの照明器具のうちの照明器具に実装され、前記照明器具が、前記照明器具コントローラ及び前記少なくとも１つの光源を有し、前記ゲートモジュールが、前記照明器具のインターフェースを介して前記センサデータを受信するよう構成される請求項１乃至６のいずれか一項に記載のゲートモジュール。
【請求項８】
前記ゲートモジュール及び照明器具コントローラが、前記照明ネットワーク内に接続されるネットワークエンティティに実装され、前記ゲートモジュールが、前記ネットワークエンティティに結合される前記少なくとも１つの照明器具によって発せられる光の制御において用いるために、前記ネットワークエンティティのインターフェースを介して前記センサデータを受信するよう構成される請求項１乃至６のいずれか一項に記載のゲートモジュール。
【請求項９】
前記ゲートモジュールが、或るタイプのセンサデータを複数のセンサモジュールから受信し、前記ゲートモジュールが、更に、
前記少なくとも１つの照明器具コントローラへの前記センサデータのうちの前記決定された一部の供給が所定の帯域幅しきい値を超えていることを検出し、
前記検出に応じて、前記複数のセンサモジュールのサブセットから受信される前記タイプのセンサデータしか供給しないよう構成される請求項１乃至８のいずれか一項に記載のゲートモジュール。
【請求項１０】
前記ゲートモジュールが、前記少なくとも１つのセンサモジュールを有するユーザ端末に実装され、前記ユーザ端末のインターフェースを介する接続を通じて、前記照明ネットワーク内に接続される前記照明器具コントローラに前記センサデータを供給するよう構成される請求項１乃至６のいずれか一項に記載のゲートモジュール。
【請求項１１】
前記所定のルールが、センサデータは、前記少なくとも１つの照明器具における動きセンサが、前記センサの検出領域内の動きを、動き検出後に所定の期間の間、検出していないという表示を有する入力信号の受信時にだけ、前記照明器具コントローラに送信されるべきであることを規定し、前記ゲートモジュールが、前記入力信号の受信時に前記決定を実施するよう構成される請求項１０に記載のゲートモジュール。
【請求項１２】
前記ゲートモジュールが、前記少なくとも１つのセンサモジュールの１つ以上のセンサから出力されるセンサデータは前記照明器具コントローラに供給されるべきではないという決定に応じて、前記１つ以上のセンサの動作を制御するよう構成される請求項１乃至１１のいずれか一項に記載のゲートモジュール。
【請求項１３】
各センサモジュールが少なくとも１つのセンサを含む少なくとも１つのセンサモジュールと、少なくとも１つの照明器具を含む照明ネットワークとを有する照明システムに実装されるゲートモジュールによって実施される方法であって、前記方法が、
前記少なくとも１つのセンサモジュールによって取得されるセンサデータを受信するステップと、
入力信号を受信するステップと、
前記入力信号及びメモリに記憶される所定のルールに基づいて、前記センサデータのうちのどの一部が前記少なくとも１つの照明器具の制御用の少なくとも１つの照明器具コントローラに供給されるべきであるかを決定するステップと、
前記センサデータのうちの決定された前記一部だけを前記少なくとも１つの照明器具コントローラに供給するステップとを有し、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示する方法。
【請求項１４】
少なくとも１つの照明器具を含む照明器具ネットワークへのセンサデータの送信を制御するためのコンピュータプログラムであって、前記コンピュータプログラムが、コンピュータ可読媒体において具現化されるコードであって、プロセッサにおいて実行されるときに、
少なくとも１つのセンサモジュールによって取得されるセンサデータを受信し、
入力信号を受信し、
前記入力信号及びメモリに記憶される所定のルールに基づいて、前記センサデータのうちのどの一部が、前記少なくとも１つの照明器具の制御用の少なくとも１つの照明器具コントローラに供給されるべきであるかを決定し、
前記センサデータのうちの決定された前記一部だけを前記少なくとも１つの照明器具コントローラに供給するよう構成されるコードを有し、
前記入力信号が、前記少なくとも１つのセンサモジュールのうちのセンサモジュールに関連するデバイスの向きを示し、前記所定のルールが、前記デバイスが所定の向きに配置されているときにだけ前記照明器具コントローラにセンサデータを送信することを指示するコンピュータプログラム。
【発明の詳細な説明】
【技術分野】
【０００１】
本開示は、ユーザ端末と照明ネットワークとの間のセンサデータの伝送に関する。本開示は、特に、センサデータの交換の制御のためのゲートモジュールに関する。
【背景技術】
【０００２】
IoT（Internet-of-Things）分野における多くの進歩、及び照明分野内でのデジタル革命に伴い、スマートな照明設備内に多様な検出機能を有することに対するニーズが高まっている。光源によって消費されるエネルギの低減、並びに結果として生じる光源のより長い寿命及びコスト削減の改善において供給する利点のため、センサ駆動の光制御システムに対する強いニーズもある。
【０００３】
スマートスペース（都市、オフィス、住宅など）において観察される傾向は、将来におけるより高度なインテリジェンスは、相互接続されるセンサ、及び絶え間なくセンサデータをブロードキャストするだろう外部インフラストラクチャプラットフォーム（例えば、モバイルデバイスのような分散／無線センサネットワーク）からのセンサ情報の借用／再利用で実現されるだろうことを示している。
【０００４】
現在のフローティングセンサプラットフォーム（例えば、スマートフォンのようなモバイルデバイス）は、一般に、無条件に外部（例えば、クラウド又はサードパーティーのシステム）にデータをブロードキャストすることができる多くのセンサを有する。
【０００５】
このようなフローティングモバイルセンサネットワークの数が大いに増え、このようなプラットフォーム内のセンサの多様性も大いに増すにつれて、外部システムから利用可能なセンサデータの量は大いに増えるだろう。様々なレベルの精度でこのような大量のデータを処理することは、照明ネットワークにとって困難な作業になるだろう。
【発明の概要】
【発明が解決しようとする課題】
【０００６】
本発明者は、外部システムへのセンサデータの絶え間ないブロードキャストに関連する問題をつきとめた。特に、ほとんどの場合、前記外部システムは、特定のセンサ情報を必要としないか、又はセンサ情報の品質には、前記外部システムのニーズを満たすのに十分な信頼性がないので、センサデータの絶え間ないブロードキャストは、エネルギ効率の悪い手法であることを、本発明者はつきとめた。
【０００７】
本発明は、IoTデバイスが、センサ情報を、必要とされる／信頼できるときにしか送信しないこと、及び照明ネットワークが、センサ情報交換を適切に開始する／受け付けることを確実にするスマートゲーティングメカニズムの助けを借りて、IoTデバイスと照明ネットワークとの間の情報交換に頼るアプリケーションのこれらの短所の両方に対処する。
【課題を解決するための手段】
【０００８】
本発明の別の態様によれば、各々が少なくとも１つのセンサを含む少なくとも１つのセンサモジュールと、少なくとも１つの照明器具を含む照明ネットワークとを有する照明システムでの使用のためのゲートモジュールであって、前記少なくとも１つのセンサモジュールによって取得されるセンサデータを受信し、入力信号を受信し、前記入力信号及びメモリに記憶される所定のルールに基づいて、前記センサデータのうちのどの一部が、前記少なくとも１つの照明器具の制御用の少なくとも１つの照明器具コントローラに供給されるべきであるかを決定し、前記センサデータのうちの決定された前記一部だけを前記少なくとも１つの照明器具コントローラに供給するよう構成されるゲートモジュールが提供される。
【０００９】
前記入力信号は、前記少なくとも１つのセンサモジュールのセンサによって検出される少なくとも１つの光特性を含むことができ、前記所定のルールは、前記少なくとも１つのセンサモジュールによって所定の光特性が検出されるときに、前記センサデータのうちのどの一部だけが前記照明器具コントローラに送信されるべきであるかを規定し得る。
【００１０】
前記少なくとも１つの光特性は、前記センサによって検出される光の強度であって、前記所定のルールが、センサデータは、検出される前記強度が所定のしきい値強度範囲内にあるときにだけ、前記照明器具コントローラに送信されるべきであることを規定する光の強度、及び前記センサによって受け取られる光から前記センサによって復号される識別子であって、前記所定のルールが、センサデータは、前記センサが、光であって、前記光に埋め込まれた所定の識別子を有する光を検出するときにだけ、前記照明器具コントローラに送信されるべきであることを規定する識別子のうちの１つ以上を含み得る。
【００１１】
前記入力信号は、前記少なくとも１つのセンサモジュールのうちのセンサモジュールが実装されるデバイスの環境の環境状態を示すことができ、前記所定のルールは、前記センサモジュールから受信されるセンサデータは、前記環境状態の検出値が所定のしきい値範囲内にあるときにだけ、前記照明器具コントローラに送信されるべきであることを規定し得る。
【００１２】
前記入力信号は、前記少なくとも１つのセンサモジュールのうちのセンサモジュールが実装されるデバイスの電源が充電状態にあるかどうかに関する表示を含むことができ、前記所定のルールは、前記センサモジュールから受信されるセンサデータは、前記デバイスの前記電源が充電状態にあるときにだけ、前記照明器具コントローラに送信されるべきであることを規定し得る。
【００１３】
前記入力信号は、前記少なくとも１つのセンサモジュールのうちのセンサモジュールが実装されるデバイスの位置の表示を含むことができ、前記所定のルールは、前記センサモジュールから受信されるセンサデータは、前記デバイスが前記少なくとも１つの照明器具から所定の距離内にあるときにだけ、前記照明器具コントローラに送信されるべきであることを規定することができ、前記ゲートモジュールは、前記少なくとも１つの光源の既知の位置情報を用いて前記決定を実施するよう構成され得る。
【００１４】
前記入力信号は、前記少なくとも１つのセンサモジュールのうちのセンサモジュールが実装されるデバイスの向きを示すことができ、前記所定のルールは、前記センサモジュールから受信されるセンサデータは、前記デバイスが所定の向きに配置されているときにだけ、前記照明器具コントローラに送信されるべきであることを規定し得る。
【００１５】
前記ゲートモジュールは、前記少なくとも１つの照明器具のうちの照明器具に実装されることができ、前記照明器具は、前記照明器具コントローラ及び前記少なくとも１つの光源を有し、前記ゲートモジュールは、前記照明器具のインターフェースを介して前記センサデータを受信するよう構成される。他の例においては、前記ゲートモジュール及び照明器具コントローラは、前記照明ネットワーク内に接続されるネットワークエンティティに実装されることができ、前記ゲートモジュールは、前記ネットワークエンティティに結合される前記少なくとも１つの照明器具によって発せられる光の制御において用いるために、前記ネットワークエンティティのインターフェースを介して前記センサデータを受信するよう構成される。
【００１６】
前記ゲートモジュールは、或るタイプのセンサデータを複数のセンサモジュールから受信することができ、前記ゲートモジュールは、更に、前記少なくとも１つの照明器具コントローラへの前記センサデータのうちの前記決定された一部の供給が所定の帯域幅しきい値を超えていることを検出し、前記検出に応じて、前記複数のセンサモジュールのサブセットから受信される前記タイプのセンサデータしか供給しないよう構成され得る。
【００１７】
前記ゲートモジュールは、前記少なくとも１つのセンサモジュールを有するユーザ端末に実装されることができ、前記ユーザ端末のインターフェースを介する接続を通じて、前記照明ネットワーク内に接続される前記照明器具コントローラに前記センサデータを供給するよう構成され得る。
【００１８】
前記所定のルールは、センサデータは、前記少なくとも１つの照明器具における動きセンサが、前記センサの検出領域内の動きを、動き検出後に所定の期間の間、検出していないという表示を有する入力信号の受信時にだけ、前記照明器具コントローラに送信されるべきであることを規定することができ、前記ゲートモジュールは、前記入力信号の受信時に前記決定を実施するよう構成される。
【００１９】
前記ゲートモジュールは、前記少なくとも１つのセンサモジュールの１つ以上のセンサから出力されるセンサデータは前記照明器具コントローラに供給されるべきではないという決定に応じて、前記１つ以上のセンサの動作を制御するよう構成され得る。
【００２０】
本発明の別の態様によれば、各々が少なくとも１つのセンサを含む少なくとも１つのセンサモジュールと、少なくとも１つの照明器具を含む照明ネットワークとを有する照明システムに実装されるゲートモジュールによって実施される方法であって、前記少なくとも１つのセンサモジュールによって取得されるセンサデータを受信するステップと、入力信号を受信するステップと、前記入力信号及びメモリに記憶される所定のルールに基づいて、前記センサデータのうちのどの一部が前記少なくとも１つの照明器具の制御用の少なくとも１つの照明器具コントローラに供給されるべきであるかを決定するステップと、前記センサデータのうちの決定された前記一部だけを前記少なくとも１つの照明器具コントローラに供給するステップとを有する方法が提供される。
【００２１】
本発明の別の態様によれば、少なくとも１つの照明器具を含む照明器具ネットワークへのセンサデータの送信を制御するためのコンピュータプログラムであって、コンピュータ可読媒体において具現化されるコードを有し、プロセッサにおいて実行されるときに、少なくとも１つのセンサモジュールによって取得されるセンサデータを受信し、入力信号を受信し、前記入力信号及びメモリに記憶される所定のルールに基づいて、前記センサデータのうちのどの一部が、前記少なくとも１つの照明器具の制御用の少なくとも１つの照明器具コントローラに供給されるべきであるかを決定し、前記センサデータのうちの決定された前記一部だけを前記少なくとも１つの照明器具コントローラに供給するよう構成されるコンピュータプログラムが提供される。 
【００２２】
これら及び他の態様は、以下に記載されている実施例から明らかになるだろう。本開示の範囲は、この概要によって限定されるよう意図されてはおらず、必ずしも、言及されている不利な点のいずれか又は全てを解決する実施例に限定されるよう意図されてはいない。
【図面の簡単な説明】
【００２３】
本開示のより良い理解のために、及びどのような実施例が実施され得るかを示すため、添付図面に対する参照がなされる。
【図１】照明システムの概略的なブロック図を図示する。
【図２】照明システムの構成要素に結合されるゲートモジュールの概略図を図示する。
【図３】ゲートモジュールを有するユーザ端末の概略図を図示する。
【図４】ゲートモジュールを有する照明器具の概略図を図示する。
【発明を実施するための形態】
【００２４】
ここで、実施例をほんの例として記載する。
【００２５】
まず、照明ネットワーク１０２及びユーザ端末１０６を含む照明システムの例を図示している図１を参照されたい。照明ネットワーク１０２は、部屋若しくは建物などの屋内空間、及び／又は庭若しくは公園などの屋外空間、及び／又は展望台若しくはスタジアムなどの部分的に覆われた環境、及び／又は乗り物の内部などの任意の他のタイプの環境を含み得る環境１００に取り付けられる。照明ネットワーク１０２は、環境１００を照明するための照明を発するためのデバイスであり、LED、LEDストリング若しくはアレイ、ガス放電ランプ又はフィラメント電球などの少なくとも１つの光源を有し、加えて、任意の関連するソケット、ハウジング及び／又は支持物を有する少なくとも１つの照明器具１０４を有する。
【００２６】
照明器具１０４は、図１においては、環境１００内の固定位置、例えば、天井及び／若しくは壁、並びに／又は床若しくは地面に固定された照明用ポールに取り付けられているように示されている。しかしながら、照明器具のうちの１つ以上は持ち運びできてもよいことは理解されるだろう。図１において示されている照明ネットワーク１０４内の照明器具１０４の数は、単なる例に過ぎない。
【００２７】
ユーザ端末１０６は、ユーザ１０８と関連付けられ、例えば、携帯電話、パーソナルデジタルアシスタント（「PDA」）、パーソナルコンピュータ（「PC」）、タブレットコンピュータ、テレビ、ゲーム機、又は照明ネットワーク１０２と通信することが可能な任意の他の組み込みデバイスであり得る。 ユーザ端末１１０は、照明ネットワーク１０２にデータを送信し、照明ネットワーク１０２からデータを受信することができる。
【００２８】
図１において図示されている実施例においては、ユーザ端末１０６と照明ネットワーク１０２との間の通信は、直接接続１１０を介して実施されている。直接接続は、この文脈においては、照明ブリッジ(lighting bridge)などの照明システムの中間制御デバイスの関与がないことを意味する。ユーザ端末１０６と照明器具１０４との間のこの接続１１０は、例えば、イーサネット（登録商標）若しくはDMXネットワークを介する有線接続、及び／又は例えば、Wi-Fi、ZigBee若しくはBluetoothなどの短距離RF技術による無線接続を含み得る。例えば、Wi-Fiの場合には、接続１１０は、ローカルWi-Fiネットワークを介するものであってもよく、従って、環境１００（図示せず）内に配置されるWi-Fiルータを介するものであってもよく、又はZigBee若しくはBluetoothの場合には、接続１１０は、中間ルータを全く伴わなくてもよく、その代わりに、例えば、メッシュネットワーク若しくは照明器具１０４とのアドホック接続をベースとしてもよい。
【００２９】
他の実施例においては、照明システムは、（図１には示されていない）中央制御デバイスを有し、前記中央制御デバイスを介して、通信が実施される。これは、照明ネットワークの場合には、（必ずしも、他のタイプのネットワークとの関連においてはブリッジという用語に伴い得るあらゆる他の限定を含意せずに）照明ブリッジ又は単にブリッジと呼ばれ得る。この場合には、照明ネットワーク１０２と通信するために、ユーザ端末１０６は、信号を、第１接続を通じてブリッジに送信し、ブリッジは、対応する信号を、１つ以上の第２接続を通じて照明器具１０４に送信する。随意に、照明器具１０４は、信号を、第２接続を通じてブリッジに送り返してもよく、ブリッジは、対応する信号を、第１接続を通じてユーザ端末１１０に送り返してもよい。第１及び第２接続は、同じ形態又は異なる形態をとることができ、各々が 、図１における直接接続１１０に関して述べた形態のいずれかをとり得る。
【００３０】
ユーザ端末１０６と照明ネットワーク１０２との間の通信チャネルは、ユーザ端末１０６において取得されたセンサデータが、照明器具１０４を制御するために照明器具１０４に送信されることを可能にする。
【００３１】
ユーザ端末１０６が、環境１００において、信頼できるセンサデータが取得されることができないような位置にある場合には、このセンサデータには、照明ネットワーク１０２によって照明器具１０４を制御するために用いるのに十分な信頼性がない場合がある。例えば、ユーザ端末１０６が、ユーザ１０８のポケット内に（例えば、前記ユーザの身体の近くに）位置しているとき、又はユーザ端末１０６が、前記ユーザの身体に接触して保持されている前記ユーザのバッグ内に留め置かれているときには、ユーザ端末１０６の温度センサによって取得される温度データは、環境１００内の実際の温度の誤った表示を供給する可能性がある。
【００３２】
本開示の実施例は、このような信頼できないセンサデータが照明ネットワーク１０２の照明器具１０４を制御するのに用いられることを防止する。
【００３３】
ここで、照明システムの構成要素の高レベルの図を供給する図２を参照されたい。具体的には、図２は、ゲートモジュール２０２と、メモリ２０４と、照明器具コントローラ２０６と、光源２０８とを図示している。
【００３４】
以下でより詳細に説明するように、ゲートモジュール２０２及びメモリ２０４は、ユーザ端末１０６に配置されてもよい。この実施例においては、照明器具コントローラ２０６及び光源２０８は、単一の照明器具１０４に配置されてもよい（即ち、照明器具１０４ごとに１つの照明器具コントローラ２０６がある）。他の例においては、光源２０８は、複数の照明器具１０４にわたって分散されてもよい。このシナリオにおいては、複数の照明器具１０４は、単一の照明器具コントローラ２０６又は複数の照明器具コントローラ２０６の制御下にあってもよい。照明器具コントローラ２０６は、複数の照明器具１０４のうちの１つ、又は照明ネットワーク１０２内の１つ以上のネットワークエンティティ（例えば、サーバ）に配置されてもよい。
【００３５】
他の実施例においては、ゲートモジュール及びメモリ２０４は、照明ネットワーク１０２に配置されてもよい。この実施例においては、ゲートモジュール２０２、メモリ２０４、照明器具コントローラ２０６、及び光源２０８が、単一の照明器具１０４に実装されてもよい（即ち、照明器具１０４ごとに１つの照明器具コントローラ２０６がある）。他の例においては、ゲートモジュール２０２及びメモリ２０４は、照明ネットワーク１０２内のネットワークエンティティ（例えば、サーバ）に実装されてもよく、光源２０８は、１つ以上の照明器具１０４にわたって分散されてもよい。このシナリオにおいては、ネットワークエンティティが、照明器具コントローラ２０６（全ての照明器具１０４のための単一の照明器具コントローラ２０６）を有してもよい。他の例においては、照明ネットワーク１０２内の１つ以上のネットワークエンティティに実装される複数の照明器具コントローラ２０６であって、各照明器具コントローラ２０６が照明器具１０４のうちの１つ以上を制御するためのものである複数の照明器具コントローラ２０６が、照明器具１０４を制御するために用いられてもよい。
【００３６】
図２において示されているように、本発明の実施例においては、ゲートモジュール２０２は、ユーザ端末１０６のセンサモジュールによって取得されるセンサデータを受信するよう構成され、且つ入力「健全性チェック」信号を受信するよう構成される。この入力信号は、 下記の特定の実施例を参照して、より詳細に説明される。大まかに言えば、入力健全性チェック信号は、ユーザ端末１０６におけるセンサモジュールから信頼できるセンサデータが取得されるかどうかを決定する方法を供給する。
【００３７】
ゲートモジュール２０２は、受信されるセンサデータが光源２０８を制御するための照明器具コントローラ２０６に送信されるべきであるときを規定する所定のルールを記憶するよう構成されるメモリ２０４に結合される。ゲートモジュール２０２は、光源２０８によって発せられる光を制御するために、例えば、光源２０８によって発せられる光の照明パラメータ、例えば、強度、色、彩度、色温度、サイズ、形状、パターン、及び／又は変遷のパターンを制御するために、照明器具コントローラ２０６にセンサデータを供給し得る。その代わりに又は更に、照明器具コントローラ２０６は、当業者には明らかであるだろう他の方法で照明器具１０４の動作を制御するためにセンサデータを用い得る。例えば、照明器具コントローラ２０６は、エネルギ節約目的のために組込センサをオン／オフに切り替えるような照明器具１０４における１つ以上の組込センサの動作を制御するためにセンサデータを用い得る。
【００３８】
ゲートモジュール２０２は、入力信号及びメモリ２０４に記憶される所定のルールに基づいて、受信されるセンサデータが、光源２０８を制御するための照明器具コントローラ２０６に送信されるべきであるかどうかを決定するよう構成される。
【００３９】
ゲートモジュール２０２が、受信されるセンサデータは、光源２０８を制御するための照明器具コントローラ２０６に送信されるべきであると決定する場合には、前記ゲートモジュール２０２は、それに応じて動作し、光源２０８を制御するための照明器具コントローラ２０６にセンサデータを送信し、その他の場合は、センサデータは、光源２０８を制御するための照明器具コントローラ２０６に送信されない。
【００４０】
本明細書において記載されているゲートモジュール２０２の機能は、１つ以上の記憶媒体を有するメモリに記憶され、１つ以上の処理ユニットを有するプロセッサでの実行のために構成されるコード（ソフトウェア）で実施され得る。コードは、メモリからフェッチされ、プロセッサで実行されるときに、下記の実施例に沿った動作を実施するように構成される。他の例においては、ゲートモジュール２０２の機能の一部又は全てが、専用ハードウェア回路、又はフィールドプログラマブルゲートアレイ（FPGA）のようなコンフィギュラブル・ハードウェア回路で実施されることは除外されない。
【００４１】
本発明の実施例は、まず、ゲートモジュール２０２及びメモリ２０４を有するユーザ端末１０６の概略的なブロック図を図示している図３を参照して説明される。ユーザ端末は、図３には示されていない他の構成要素を有するだろうことは理解されるだろう。
【００４２】
ユーザ端末１０６は、少なくとも１つのセンサを含むセンサモジュール３０２を有する。センサは、環境１００内の温度を検出するための温度センサ、環境１００内の湿度レベルを検出するための湿度センサ、環境１００内の大気圧を検出するための圧力センサ、（例えば、風速又はノイズ/dBレベルの出力を供給する）マイク、環境１００内の空気の質を検出するための空気質センサ（粒子、煙等）、環境１００の画像を取り込むためのカメラ、周囲光センサ、タッチセンサ、（例えば、ユーザ端末１０６のディスプレイに対するユーザの頭／耳／手の距離を測定する）近接センサ、3D／レンジ画像センサ、受動型赤外線（PIR）センサ、並びに例えば、ジャイロスコープ、加速度計及び／又は磁力計などのユーザ端末１０６の向き及び／又は動きを検出するためのセンサのうちの１つ以上を含み得る。センサモジュールは、当業者には知られているだろう本明細書においては言及されていない他のセンサを含んでもよい。
【００４３】
上で言及されていたカメラは、多くの場合、携帯電話又はタブレットのようなユーザ端末に組み込まれている、「ローリングシャッタ」タイプのカメラであってもよい。ローリングシャッタカメラにおいては、カメラの画像キャプチャ素子は、ラインごとに順次露光される複数のライン（典型的には、水平ライン、即ち、横列）に分けられる。別の実施例においては、カメラは、（画像センサの全画素アレイが一度に露光される）「グローバルシャッタ」タイプのカメラである。当業者は、符号化光は、「ローリングシャッタ」タイプのカメラと「グローバルシャッタ」タイプのカメラとの両方を用いて検出されることができることを理解するだろう。
【００４４】
センサモジュール３０２は、センサモジュール３０２から出力されるセンサデータがゲートモジュール２０２に供給されるように、ゲートモジュール２０２に結合される。図３において示されているように、ゲートモジュール２０２はまた、入力「健全性チェック」信号を受信するよう構成される。
【００４５】
ゲートモジュール２０２が、（入力信号及びメモリ２０４に記憶される所定のルールに基づいて、）受信されるセンサデータは、照明器具１０４を制御するための照明器具コントローラ２０６に送信されるべきであると決定する場合には、前記ゲートモジュール２０は、それに応じて動作し、インターフェース３０６を介して照明器具１０４を制御するための照明器具コントローラ２０６にセンサデータを送信し、その他の場合は、センサデータは送信されない。インターフェース３０６は、上記の接続１１０に応じて、有線及び／又は無線通信インターフェースであり得る。
【００４６】
或る実施例においては、照明器具１０４は、照明器具１０４の光源から発せられる光の照明特性の表示をユーザ端末１０６に送信し、これは、インターフェース３０６を介して受信される。照明特性は、メモリ２０４に記憶される。例えば、照明特性は、照明器具１０４によって発せられる光のパラメータ（例えば、強度若しくは強度の範囲）、又は符号化光技術を用いて照明器具１０４の光源によって発せられる光に埋め込まれる識別子を含み得る。
【００４７】
符号化光は、技術であって、前記技術によって、光源によって発せられる光にデータが埋め込まれる技術を指す。これを行うため、光は、１つ以上の或る特定の変調周波数、好ましくは、人間の知覚を超え、それ故、一次照明機能に影響を及ぼさないように、十分に高い周波数において、変調される。しかしながら、場合によっては、符号化光発光体は、照明機能を全く有さなくてもよく、この場合には、人間には見えない光（例えば、目に見えない赤外光）が識別情報を伝送するための媒体として用いられる。
【００４８】
この実施例においては、メモリ２０４は、センサデータは、ユーザ端末１０６によって所定の光特性が検出されるときにだけ、照明器具１０４を制御するための照明器具コントローラ２０６に送信されるべきであることを規定するルールを記憶するよう構成される。
【００４９】
照明特性が、照明器具１０４によって発せられる光のパラメータ（例えば、強度）の値を有する例においては、ルールは、検出される場合には、センサデータが照明器具コントローラ２０６に送信されることをもたらすべきであるパラメータの値に関連するしきい値範囲を規定し得る。例えば、照明器具１０４が、照明器具によって発せられる光は500luxの強度のものであるという表示を送信する場合には、メモリ２０４に記憶されるルールは、例えば、センサデータは、ユーザ端末１０６が、環境１００において、例えば450乃至550luxの光を検出する場合にだけ、照明器具コントローラ２０６に送信されるべきであることを規定し得る。
【００５０】
照明特性が、照明器具１０４の光源によって発せられる光に埋め込まれる識別子を有する例においては、メモリ２０４に記憶されるルールは、センサデータは、ユーザ端末１０６が、環境１００において、光に埋め込まれるこの識別子を有する光を検出する場合にだけ、照明器具コントローラ２０６に送信されるべきであることを規定し得る。
【００５１】
メモリ２０４に記憶されるルールは、ゲートモジュール２０２によって、照明器具１０４からユーザ端末１０６に送信される照明器具１０４の光源から発せられる光の照明特性の受信に応じて、生成され得る。他の例においては、ルールは、メモリ２０４での記憶のために、照明器具１０４からユーザ端末１０６に、照明特性と共に送信され得る。
【００５２】
ユーザ端末１０６の環境１００における照明は、カメラ及び／又は周囲光センサを用いて検出され得る。カメラ及び／又は周囲光センサは、健全性チェック信号を入力としてゲートモジュール２０２に供給するよう構成される。健全性チェック信号は、例えば、カメラ及び／若しくは周囲光センサによって検出される光の強度の表示、又はカメラによって受け取られる光からカメラによって復号される任意の識別子の表示を含み得る。
【００５３】
ゲートモジュール２０２は、健全性チェック信号及びメモリ２０４に記憶される所定のルールを用いて、ユーザ端末１０６が、照明器具１０４によって発せられる光を検出することができるかどうかを決定するよう構成される。例えば、検出される光強度が、しきい値光強度範囲内にある場合、又はカメラが、照明器具１０４によって発せられた光に符号化された識別子を検出した場合である。
【００５４】
ゲートモジュール２０２が、ユーザ端末１０６は、照明器具１０４によって発せられる光を検出することができると決定する場合には、それは、ユーザ端末１０６は、環境１００において、信頼できるセンサデータが取得されることができるような位置にある、例えば、ユーザ端末１０６は、ユーザ１０８のポケット内（例えば、前記ユーザ１０８の身体の近く）には位置していない、又はユーザのバッグ内には留め置かれていないと推論することができる。
【００５５】
ゲートモジュール２０２は、この決定に応じて、センサモジュール３０２から受信されるセンサデータ（例えば、湿度、温度、圧力又は他のセンサデータ）を、インターフェース３０６を介して、照明器具１０４を制御するための照明器具コントローラ２０６に送信するよう構成される。この決定は、センサデータがユーザ端末１０６から照明器具コントローラ２０６に送信されることの開始をトリガし得る、又はユーザ端末１０６から照明器具コントローラ２０６へ送信されているセンサデータの送信を継続することを可能にし得る。
【００５６】
ゲートモジュール２０２が、ユーザ端末１０６は、照明器具１０４によって発せられる光を検出することができないと決定する場合には、それは、ユーザ端末１０６は、環境１００において、信頼できるセンサデータが取得されることができないような位置にある、例えば、ユーザ端末１０６は、ユーザ１０８のポケット内（例えば、前記ユーザ１０８の身体の近く）に位置している、又はユーザのバッグ内に留め置かれていると推論することができる。
【００５７】
ゲートモジュール２０２は、この決定に応じて、センサモジュール３０２から受信されるセンサデータを、インターフェース３０６を介して、照明器具１０４を制御するための照明器具コントローラ２０６に送信しないよう構成される。この決定は、センサデータがユーザ端末１０６から照明器具コントローラ２０６に送信されることの開始を防止し得る、又は既にユーザ端末１０６から照明器具コントローラ２０６へ送信されているセンサデータの送信を阻止し得る。
【００５８】
他の実施例においては、照明器具１０４は、照明器具１０４によって検出される環境１００における環境状態の表示をユーザ端末１０６に送信し、これは、インターフェース３０６を介して受信される。検出される環境状態の値は、メモリ２０４に記憶される。
【００５９】
この実施例においては、メモリ２０４は、センサデータは、（センサモジュール３０２の）センサによる環境状態の検出値がしきい値範囲内にあるときにだけ、照明器具１０４を制御するための照明器具コントローラ２０６に送信されるべきであることを規定するルールを記憶するよう構成される。温度が、環境１００の環境状態の一例である。
【００６０】
例えば、照明器具１０４が、照明器具１０４によって検出される温度が20℃であるという表示を送信する場合には、メモリ２０４に記憶されるルールは、例えば、センサデータは、ユーザ端末１０６が15乃至25℃の環境１００内温度を検出する場合にだけ、照明器具コントローラ２０６に送信されるべきであることを規定し得る。
【００６１】
メモリ２０４に記憶されるルールは、ゲートモジュール２０２によって、照明器具１０４からユーザ端末１０６に送信される照明器具１０４によって検出される温度の受信に応じて、生成され得る。他の例においては、ルールは、メモリ２０４での記憶のために、照明器具１０４からユーザ端末１０６に、検出される温度と共に送信され得る。
【００６２】
ユーザ端末１０６における環境１００内温度は、温度センサを用いて検出されることができる。温度センサは、健全性チェック信号を入力としてゲートモジュール２０２に供給するよう構成される。健全性チェック信号は、温度センサによって検出されるユーザ端末１０６における環境１００内温度の表示を含む。
【００６３】
ゲートモジュール２０２は、健全性チェック信号及びメモリ２０４に記憶される所定のルールを用いて、ユーザ端末１０６が照明器具１０４と同じ温度を（或る特定の許容誤差内で）検出しているかどうかを決定するよう構成される。
【００６４】
ゲートモジュール２０２が、ユーザ端末１０６は、照明器具１０４と同じ温度を検出していると決定する場合には、それは、ユーザ端末１０６は、環境１００において、信頼できるセンサデータが取得されることができるような位置にある、例えば、ユーザ端末１０６は、ユーザ１０８のポケット内（例えば、前記ユーザ１０８の身体の近く）には位置していない、又はユーザのバッグ内には留め置かれていないと推論することができる。
【００６５】
ゲートモジュール２０２は、この決定に応じて、センサモジュール３０２から受信されるセンサデータ（例えば、湿度、温度、圧力又は他のセンサデータ）を、インターフェース３０６を介して、照明器具１０４を制御するための照明器具コントローラ２０６に送信するよう構成される。この決定は、センサデータがユーザ端末１０６から照明器具コントローラ２０６に送信されることの開始をトリガし得る、又はユーザ端末１０６から照明器具コントローラ２０６へ送信されているセンサデータの送信を継続することを可能にし得る。
【００６６】
ゲートモジュール２０２が、ユーザ端末１０６において温度センサによって検出される温度が、所定のしきい値温度範囲外であると決定する場合には、それは、ユーザ端末１０６は、環境１００において、信頼できるセンサデータが取得されることができないような位置にある、例えば、ユーザ端末１０６は、ユーザ１０８のポケット内（例えば、前記ユーザ１０８の身体の近く）に位置している、又はユーザのバッグ内に留め置かれていると推論することができる。
【００６７】
ゲートモジュール２０２は、この決定に応じて、センサモジュール３０２から受信されるセンサデータを、インターフェース３０６を介して、照明器具１０４を制御するための照明器具コントローラ２０６に送信しないよう構成される。この決定は、センサデータがユーザ端末１０６から照明器具コントローラ２０６に送信されることの開始を防止し得る、又は既にユーザ端末１０６から照明器具コントローラ２０６へ送信されているセンサデータの送信を阻止し得る。
【００６８】
上では温度に関して実施例が記載されているが、実施例は、環境１００の他の環境状態にも及ぶ。
【００６９】
例えば、メモリ２０４に記憶されるルールは、センサデータは、ユーザ端末１０６における（センサモジュール３０２の）圧力センサによって検出される圧力がしきい値範囲内にあるときにだけ、照明器具１０４を制御するための照明器具コントローラ２０６に送信されるべきであることを規定し得る。圧力センサは、健全性チェック信号を入力としてゲートモジュール２０２に供給するよう構成される。健全性チェック信号は、圧力センサによって検出されるユーザ端末１０６における環境１００内圧力の表示を含む。その代わりに又は更に、メモリ２０４に記憶されるルールは、センサデータは、ユーザ端末１０６における（センサモジュール３０２の）湿度センサによって検出される湿度がしきい値範囲内にあるときにだけ、照明器具１０４を制御するための照明器具コントローラ２０６に送信されるべきであることを規定し得る。湿度センサは、健全性チェック信号を入力としてゲートモジュール２０２に供給するよう構成される。健全性チェック信号は、湿度センサによって検出されるユーザ端末１０６における環境１００内湿度の表示を含む。
【００７０】
他の実施例においては、メモリ２０４は、センサデータは、ユーザ端末１０６が或る特定の向きを有するよう配置されるとき、例えば、デバイスがフラット（水平／垂直）であるときにだけ、照明器具１０４を制御するための照明器具コントローラ２０６に送信されるべきであることを規定するルールを記憶するよう構成される。
【００７１】
ユーザ端末１０６の向きは、ジャイロスコープ及び／又は加速度計及び／又は磁力計などのセンサモジュール３０２の慣性センサを用いて検出されることができる。慣性センサは、健全性チェック信号を入力としてゲートモジュール２０２に供給するよう構成される。健全性チェック信号は、慣性センサによって検出される環境１００におけるユーザ端末１０６の向きの表示を含む。
【００７２】
ゲートモジュール２０２は、健全性チェック信号及びメモリ２０４に記憶される所定のルールを用いて、ユーザ端末１０６が、メモリ２０４に記憶されている所定の向きに対応する向きを有するよう配置されているかどうかを決定するよう構成される。
【００７３】
ゲートモジュール２０２が、ユーザ端末１０６は、メモリ２０４に記憶されている所定の向きに対応する向きを有すると決定する場合には、それは、ユーザ端末１０６は、環境１００において、信頼できるセンサデータが取得されることができるような位置にある、例えば、ユーザ端末１０６は、平面上にあり、且つ環境１００内を移動していないと推論することができる。
【００７４】
ゲートモジュール２０２は、この決定に応じて、センサモジュール３０２から受信されるセンサデータ（例えば、湿度、温度、圧力又は他のセンサデータ）を、インターフェース３０６を介して、照明器具１０４を制御するための照明器具コントローラ２０６に送信するよう構成される。この決定は、センサデータがユーザ端末１０６から照明器具コントローラ２０６に送信されることの開始をトリガし得る、又はユーザ端末１０６から照明器具コントローラ２０６へ送信されているセンサデータの送信を継続することを可能にし得る。
【００７５】
ゲートモジュール２０２が、ユーザ端末１０６は、メモリ２０４に記憶されている所定の向きに対応する向きを有していないと決定する場合には、それは、ユーザ端末１０６は、環境１００において、信頼できるセンサデータが取得されることができないような位置にあると推論することができる。ゲートモジュール２０２は、この決定に応じて、センサモジュール３０２から受信されるセンサデータを、インターフェース３０６を介して、照明器具１０４を制御するための照明器具コントローラ２０６に送信しないよう構成される。この決定は、センサデータがユーザ端末１０６から照明器具コントローラ２０６に送信されることの開始を防止し得る、又は既にユーザ端末１０６から照明器具コントローラ２０６へ送信されているセンサデータの送信を阻止し得る。
【００７６】
他の実施例においては、メモリ２０４は、センサデータは、ユーザ端末１０６が電力充電（例えば、無線又は有線充電）状態にあるときにだけ、照明器具１０４を制御するための照明器具コントローラ２０６に送信されるべきであることを規定するルールを記憶するよう構成される。
【００７７】
ユーザ端末１０６は、（図３には示されていない）ユーザ端末１０６の電源が、ユーザ端末１０６の電源が充電されているような充電状態にあるかどうかを示す健全性チェック信号を出力するよう構成される（図３には示されていない）電力充電状態モニタモジュールを含み得る。
【００７８】
ゲートモジュール２０２が、ユーザ端末１０６は電力充電状態にあると決定する場合には、それは、ユーザ端末１０６は、環境１００において、信頼できるセンサデータが取得されることができるような位置にある、例えば、ユーザ端末１０６は、ユーザ１０８のポケット内（例えば、前記ユーザ１０８の身体の近く）には位置していない、又はユーザのバッグ内には留め置かれていないと推論することができる。
【００７９】
ゲートモジュール２０２は、この決定に応じて、センサモジュール３０２から受信されるセンサデータ（例えば、湿度、温度、圧力又は他のセンサデータ）を、インターフェース３０６を介して、照明器具１０４を制御するための照明器具コントローラ２０６に送信するよう構成される。この決定は、センサデータがユーザ端末１０６から照明器具コントローラ２０６に送信されることの開始をトリガし得る、又はユーザ端末１０６から照明器具コントローラ２０６へ送信されているセンサデータの送信を継続することを可能にし得る。
【００８０】
ゲートモジュール２０２が、ユーザ端末１０６は電力充電状態にないと決定する場合には、それは、ユーザ端末１０６は、環境１００において、信頼できるセンサデータが取得されることができないような位置にある、例えば、ユーザ端末１０６は、ユーザ１０８のポケット内（例えば、前記ユーザ１０８の身体の近く）に位置している、又はユーザのバッグ内に留め置かれていると推論することができる。
【００８１】
ゲートモジュール２０２は、この決定に応じて、センサモジュール３０２から受信されるセンサデータを、インターフェース３０６を介して、照明器具１０４を制御するための照明器具コントローラ２０６に送信しないよう構成される。この決定は、センサデータがユーザ端末１０６から照明器具コントローラ２０６に送信されることの開始を防止し得る、又は既にユーザ端末１０６から照明器具コントローラ２０６へ送信されているセンサデータの送信を阻止し得る。
【００８２】
他の実施例においては、メモリ２０４は、センサデータは、ユーザ端末１０６が照明器具１０４から所定の距離内にあるときにだけ、照明器具１０４を制御するための照明器具コントローラ２０６に送信されるべきであることを規定するルールを記憶するよう構成される。
【００８３】
ユーザ端末１０６は、環境１００におけるユーザ端末１０６の位置を示す健全性チェック信号を出力するよう構成される（図３には示されていない）位置特定モジュールを含み得る。
【００８４】
位置特定モジュールは、地球の表面に対する地理的位置の観点からユーザ端末１０６の位置を決定するための地理的位置特定技術、例えば、GPS（補助GPS又はディファレンシャルGPSなどの考えられる変形物を含む全地球測位システム）、GLONASS（Global Navigation Satellite System）又はGalileoなどの衛星を利用した位置決めシステムを用い得る。
【００８５】
他の例においては、位置特定モジュールは、場合によってはアンカーノードとも呼ばれる複数の無線基準ノードを有する位置特定ネットワーク(location network)に対するユーザ端末１０６の位置を決定し得る。これらのアンカーは、無線ノードであって、前記無線ノードの位置が、事前に知られている、一般に、ノードの位置を調べるために照会されることができる位置データベースに記録されている無線ノードである。従って、アンカーノードは、位置決めのための基準ノードの役割を果たす。モバイルデバイスと複数のアンカーノードとの間で伝送される信号の測定、例えば、各々の信号のRSSI（受信信号強度インジケータ）、ToA（到着時間）及び／又はAoA（到着角度）の測定が行われる。３つ以上のノードからのこのような測定を考えると、その場合、モバイル端末の位置は、三辺測量、多辺測量又は三角測量などの技術を用いて位置特定ネットワークに対して決定され得る。モバイル端末の相対位置及びアンカーノードの既知の位置を考えると、これは、モバイルデバイスの位置を、より絶対的に、例えば、地球又は地図又は間取図に対して決定することを可能になる。
【００８６】
位置特定モジュールがユーザ端末１０６の位置を決定するために用い得る他の方法は、当業者にはよく知られており、それ故、本明細書においては詳細には述べられない。
ゲートモジュール２０２は、メモリ２０４に予め記憶されている（アンカーノードであってもなくてもよく、又はアンカーノードでなくてもよい）照明器具１０４の既知の位置、及び環境１００におけるユーザ端末１０６の位置を識別する健全性チェック信号を用いて、ユーザ端末１０６と照明器具１０４との間の距離を決定することができる。
【００８７】
ゲートモジュール２０２が、ユーザ端末１０６は、（メモリ２０４に記憶される所定のルールにおいて規定される）照明器具１０４から所定の距離内にあると決定する場合には、それは、ユーザ端末１０６は、環境１００において、信頼できるセンサデータが取得されることができるような位置にあると推論することができる。
【００８８】
ゲートモジュール２０２は、この決定に応じて、センサモジュール３０２から受信されるセンサデータ（例えば、湿度、温度、圧力又は他のセンサデータ）を、インターフェース３０６を介して、照明器具１０４を制御するための照明器具コントローラ２０６に送信するよう構成される。この決定は、センサデータがユーザ端末１０６から照明器具コントローラ２０６に送信されることの開始をトリガし得る、又はユーザ端末１０６から照明器具コントローラ２０６へ送信されているセンサデータの送信を継続することを可能にし得る。
【００８９】
ゲートモジュール２０２が、ユーザ端末１０６は、照明器具１０４から所定の距離内にないと決定する場合には、それは、ユーザ端末１０６は、環境１００において、信頼できるセンサデータが取得されることができないような位置にあると推論することができる。即ち、ユーザ端末１０６の前記位置のために、ユーザ端末において収集されるセンサデータは、照明器具１０４のごく周辺において観察される状態を正確に反映したものではないだろう。
【００９０】
ゲートモジュール２０２は、この決定に応じて、センサモジュール３０２から受信されるセンサデータを、インターフェース３０６を介して、照明器具１０４を制御するための照明器具コントローラ２０６に送信しないよう構成される。この決定は、センサデータがユーザ端末１０６から照明器具コントローラ２０６に送信されることの開始を防止し得る、又は既にユーザ端末１０６から照明器具コントローラ２０６へ送信されているセンサデータの送信を阻止し得る。
【００９１】
他の実施例においては、メモリ２０４は、一日の様々な時間帯中にどのタイプのセンサデータが照明器具１０４を制御するための照明器具コントローラ２０６に供給されるべきであるかを示すユーザ規定光制御スケジュールを記憶するよう構成される。ユーザ端末１０６は、時刻を示す健全性チェック信号を出力するよう構成されるタイマ又はクロックを含み得る。
【００９２】
この実施例においては、ゲートモジュール２０２は、特定の時刻においては、ユーザ規定光制御スケジュールが、前記特定の時刻に照明器具１０４を制御するための照明器具コントローラ２０６に送信されるべきであることを示しているセンサデータだけを送信するよう構成される。
【００９３】
例えば、センサモジュール３０２は、PIRセンサを有してもよく、ユーザ規定光制御スケジュールは、PIRセンサから出力されるセンサデータは、日中（例えば、午前７時と午後７時との間）にだけ照明器具コントローラ２０６に供給されるべきであることを示してもよい。これは、照明器具コントローラ２０６によって必要とされるセンサデータだけが照明器具コントローラ２０６に供給されることを確実にする。
【００９４】
上では、ユーザ端末１０６に配置されているゲートモジュール２０２及びメモリ２０４に関して実施例が記載されているが、他の実施例においては、ゲートモジュール２０２及びメモリ２０４は、単一の照明器具１０４に配置されてもよく、これは、図４に図示されている。
【００９５】
図４において示されているように、照明器具１０４が、ゲートモジュール２０２及びメモリ２０４を有する。センサデータ及び健全性チェック信号は、インターフェース４０２を介してユーザ端末１０６から受信される。
【００９６】
ゲートモジュール２０２は、上で図３を参照して記載したのと同じようにして挙動するよう動作可能である。即ち、ゲートモジュール２０２は、ユーザ端末１０６におけるセンサモジュール３０２から信頼できるセンサデータが取得されることができるとゲートモジュール２０２が決定するのに応じて、受信されるセンサデータを照明器具コントローラ２０６に供給するよう構成される。更に、ゲートモジュール２０２は、ユーザ端末１０６におけるセンサモジュール３０２から信頼できるセンサデータが取得されることができないとゲートモジュール２０２が決定するのに応じて、受信されるセンサデータを照明器具コントローラ２０６に供給しないよう構成される。
【００９７】
ゲートモジュール２０２はまた、ユーザ端末１０６におけるセンサモジュール３０２から信頼できるセンサデータが取得されることができないとゲートモジュール２０２が決定するのに応じて、ユーザ端末１０２にセンサデータの送信を停止するよう命じるためにコマンドをインターフェース４０２を介してユーザ端末１０２に送信するよう構成され得る。これは、ユーザ端末１０６におけるエネルギ効率を改善する。ゲートモジュール２０２は、健全性チェック信号及びメモリ２０４に記憶される所定のルールに基づくユーザ端末１０２へのインターフェース４０２を介するコマンドによって照明器具１０４へのセンサデータの送信を再開することができる。
【００９８】
図４は、光源２０８を有する単一の照明器具１０４を示しているが、他の実施例においては、光源２０８は、照明ネットワーク１０２内に配置される照明器具コントローラ２０６の制御下の複数の照明器具１０４にわたって分散されてもよい。照明器具コントローラは、これらの照明器具のうちの１つに配置されてもよく、又は完全に、照明ネットワーク１０２内の別個のデバイス（例えば、サーバ）に配置されてもよい。
【００９９】
ユーザ端末１０６がゲートモジュール２０２及びメモリ２０４を有する図３に戻って参照する。
【０１００】
照明器具１０４は、環境１００内の人の動きを検出するための受動型センサを有してもよく、照明器具１０４の照明器具コントローラ２０６は、受動型センサから受信される制御信号に応じて照明器具の光源２０８を制御するよう構成されてもよい。例示的な受動型センサは、人又は他の生物などの物体から放出される赤外線を検出する受動型赤外線（PIR）センサである。
【０１０１】
PIRセンサは、人が、PIRセンサの視野（FOV）に入る場合には、このことは、照明器具の光源２０８をトリガしてオンにさせるだろうが、その人が、ほとんど動かずにPIRセンサのFOV内に留まる場合に、PIRセンサが、所定時間（例えば３０秒）の間、動きを検出しない場合には、照明器具コントローラ２０６は、光源２０８をオフにするだろうという点において、制約を持つ。
【０１０２】
ユーザ端末１０６の動きを検出するためのセンサモジュール３０２のセンサ、例えば、ジャイロスコープ、加速度計及び／又は磁力計は、特に動きに対する感度がよい。例えば、留まっているPIRセンサのFOV内の机のところのユーザ１０８の存在は、PIRセンサでは依然として検出されないかもしれないが、ユーザ端末１０６がユーザのポケット内に位置している場合には、ユーザ１０８による如何なる小さな動きも、ユーザ端末１０６における動きセンサによって検出されるだろう。従って、このセンサデータは、動き検出に続いて光源２０８をオフにすべきかどうかを決定するために照明器具１０４の照明器具コントローラ２０６によって実施される決定プロセスにおいて有用である。しかしながら、このセンサデータをユーザ端末１０６から照明器具コントローラ２０６に絶え間なく送信することは、エネルギ効率が良くない。
【０１０３】
他の実施例においては、ユーザ端末１０６におけるメモリ２０４は、センサデータは、ユーザ端末１０６が、PIRセンサのFOV内の動きを動き検出後の所定期間の間検出していないことを示すメッセージ（健全性チェック信号）をインターフェース３０６を介して照明装置１０４から受信するときにだけ、PIRのFOV内に人が存在するかどうかを決定するための決定プロセスにおける使用のために照明器具コントローラ２０６に送信されるべきであることを規定するルールを記憶するよう構成される。
【０１０４】
この実施例においては、ゲートモジュール２０２は、このメッセージの受信に応じてしか、PIRセンサのFOV内に人が存在するかどうかを決定するための決定プロセスにおける使用のためにセンサモジュール３０２から受信されるセンサデータ（例えば、ジャイロスコープ、加速度計及び／又は磁力計データ）をインターフェース３０６を介して照明器具コントローラ２０６に送信しないよう構成される。
【０１０５】
このことは、照明器具コントローラ２０６が、異なる検出モダリティ(sensing modality)を用いて状態を確認することによって、光源２０８をオフにする決定を先延ばしにすることを可能にする。
【０１０６】
照明器具コントローラ２０６が、前記決定をなすためにセンサデータを用いたら、それは、センサデータの更なる送信を停止するためにユーザ端末１０６と通信するよう動作可能であり得る。
【０１０７】
ゲートモジュール２０２によってゲート制御されているユーザ端末１０６の動きセンサによって出力されるセンサデータに加えて、又はこれに代わるものとして、（ユーザの活動を示す）他のセンサデータが、上記のメッセージの受信に応じて、PIRセンサのFOV内に人が存在するか否かをゲートモジュール２０２によって確認するために、照明器具コントローラ１０６に送信されてもよい。例えば、ユーザ端末１０６のマイクによって出力されるマイク信号及び／又は検出されるグラフィカルユーザインターフェース（GUI）対話を示す信号は、ゲートモジュール２０２及び／又は上述したユーザ端末１０６の位置特定モジュールによって出力される位置情報によってゲート制御され得る。
【０１０８】
上述の実施例によれば、ユーザ端末１０６におけるセンサプラットフォームは、そのセンサ情報を照明ネットワーク１０２に絶え間なくブロードキャストすることが防止され得る。このことは、ユーザ端末１０６におけるエネルギ効率を改善する。
【０１０９】
本発明が、情報交換プロトコルを開始する照明ネットワーク１０２に限定されないことは、上記の実施例から明らかであるだろう。IoTデバイスは、前記IoTデバイスに常駐するアプリケーションであって、（例えば、前記IoTデバイスが充電／給電されるとき、又は位置情報の送信にのみ）情報のブロードキャストを開始するアプリケーションを有し得る。
【０１１０】
ゲートモジュール２０２は、センサモジュール３０２の複数のセンサから出力されるセンサデータを受信し得る。上記の実施例において、ゲートモジュール２０２は、センサモジュールの複数のセンサの全てから受信されるセンサデータが照明器具１０４を制御するための照明器具コントローラ２０６に供給されるべきであるかどうかを決定するために、健全性チェック信号及びメモリ２０４に記憶される所定のルールを用い得る。他の例においては、ゲートモジュール２０２は、センサモジュール３０２の複数のセンサのうちの１つ以上のセンサだけから受信されるセンサデータにおいてゲート制御を実施し、複数のセンサのうちの残りのセンサから受信されるセンサデータを、健全性チェック信号を考慮に入れずに、照明器具コントローラ２０２に送信してもよい。
【０１１１】
上記の実施例はほんの一例として記載されていることは理解されるだろう。
【０１１２】
上では、ユーザ端末１０６に実装されているセンサモジュール３０２に関して実施例が記載されているが、幾つかの実施例においては、センサモジュール３０２は、ユーザ端末１０６に実装されなくてもよい。例えば、センサモジュール３０２は、有線又は無線接続部を介して照明器具１０４に接続されるスタンドアローンのセンサハブなどの他のデバイスに実装されてもよい。他の例においては、照明器具１０４に結合されるよう構成されるプラグ・アンド・プレイ・モジュールが、センサモジュール３０２を有してもよい。別の例においては、センサモジュール３０２は、照明器具１０４自体に埋め込まれてもよい。
【０１１３】
上記の実施例において、ゲートモジュール２０２は、データ転送のゲート制御に加えて他の機能を具備してもよい。特に、ゲートモジュールは、センサモジュール３０２の１つ以上のセンサから出力されるセンサデータは照明器具コントローラ２０６に供給されるべきではないという決定に応じて、前記１つ以上のセンサの動作を制御するよう構成され得る。これは、所定の時間の間、前記１つ以上のセンサをオフに切り替えること若しくは前記１つ以上のセンサをスリープモード（低電力消費状態）にすること、又は前記１つ以上のセンサの測定頻度を変更することを含み得る。
【０１１４】
上では、単一のセンサモジュール３０２に関して実施例が記載されているが、ゲートモジュール２０２は、環境１００内に配置される複数のセンサモジュールであって、各センサモジュールが１つ以上のセンサを有する複数のセンサモジュールから出力されるセンサデータを受信し得る。例えば、センサモジュールは、ユーザ端末１０６、スタンドアローンのセンサハブ、及び照明器具１０４の各々の中に存在していてもよい。
【０１１５】
ゲートモジュール２０２が、環境１００内の異なる領域内（例えば、建物の異なる部屋内）に配置される複数のセンサモジュールから出力されるセンサデータを受信し、健全性チェック信号が、ユーザ端末１０６が環境の或る領域内に位置する照明器具から所定の距離内にあるという決定に応じて、環境１００内のユーザ端末１０６の位置を示す実施例においては、ゲートモジュール２０２は、ユーザ端末１０６が位置している領域内に位置していないゲートモジュール２０２に（有線又は無線）結合されるセンサモジュールの動作を制御するよう構成されることができ、これは、所定の期間の間、これらのセンサモジュールのセンサをオフに切り替えること若しくは前記１つ以上のセンサをスリープモード（低電力消費状態）にすること、又はこれらのセンサモジュールの測定頻度を変更することを含み得る。従って、ゲートモジュール２０２は、その場合、ユーザ端末１０６が位置している場所に位置しているセンサモジュールから受信されるセンサデータに関してだけゲート制御決定を実施するよう動作可能である。
【０１１６】
ゲートモジュール２０２が複数のセンサモジュールから出力されるセンサデータを受信する実施例においては、ゲートモジュール２０２は、複数のセンサモジュールの各々から出力される特定のタイプのセンサデータを受信し得ることは理解されるだろう。特定のタイプのセンサデータ（例えば、温度、湿度、大気圧、空気質）の場合は、複数のセンサモジュールの各々から出力されるセンサデータは同じであるだろうことは理解されるだろう。実施例においては、ゲートモジュール２０２は、照明器具コントローラ２０６へのセンサデータのデータ伝送の帯域幅をモニタするよう構成される。具体的には、ゲートモジュール２０２は、照明器具コントローラ２０６へのセンサデータの送信が所定の帯域幅しきい値を超えていることの検出に応じて、照明器具コントローラ２０６に送信されるべきであるセンサデータが、複数のセンサモジュールから受信される或るタイプのセンサデータを含む場合には、複数のセンサモジュールのサブセットから受信される前記タイプのセンサデータしか送信しないよう構成される。
【０１１７】
例えば、４つのセンサモジュールが、ゲートモジュール２０２に温度データ（又は他のグローバルセンサデータ）を供給し得る。ゲートモジュール２０２は、照明器具コントローラ２０６へのセンサデータの送信が所定の帯域幅しきい値を超えていることの検出に応じて、データ転送の帯域幅利用を減らすよう、４つのセンサモジュールのサブセットから（例えば、４つのセンサモジュールのうちの１つ乃至３つから）受信される温度データしか送信しないよう構成され得る。温度は、（センサモジュールが配置される特定のデバイスに特有の）ローカルセンサデータではなく、（同じ環境内に位置している全てのセンサモジュールが同じ測定値を供給するだろう）グローバルセンサデータの一種であるので、照明器具コントローラ２０６に送られる温度データの量におけるこの削減は、光源２０８の制御に悪影響をもたらさない。
【０１１８】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。本明細書において用いられているような「コントローラ」及び「モジュール」という用語は、一般に、ソフトウェア、ファームウェア、ハードウェア、又はそれらの組み合わせを表す。ソフトウェア実施の場合には、コントローラ又はモジュールは、プロセッサ（例えば、１つ以上のCPU）において実行されるときに指定されたタスクを実施するプログラムコードを表す。プログラムコードは、１つ以上のコンピュータ可読メモリデバイスに記憶され得る。請求項において列挙されている幾つかのアイテムの機能を、単一のプロセッサ又は他のユニットが実現してもよい。単に、特定の手段が、相互に異なる従属請求項において引用されているという事実は、これらの手段の組み合わせが有利になるように用いられることができないことを示すものではない。コンピュータプログラムは、他のハードウェアと共に又はそれの一部として供給される光記憶媒体又は固体媒体などの適切な媒体に記憶／分散されてもよいが、インターネット又は他の有線若しくは無線電気通信システムなどを介して、他の形態で分散されてもよい。請求項における如何なる符号も、範囲を限定するものとして解釈されるべきではない。
【図１】
0006758372.tif 000002
【図２】
0006758372.tif 000003
【図３】
0006758372.tif 000004
【図４】
0006758372.tif 000005